(57)【要約】【課題】書込み放電を高速で、安定して行い、かつ書込みパルス電圧の上昇を抑制することができるプラズマディスプレイパネルを提供する。【解決手段】透明電極２２ａと、透明電極２２ａと交差する方向に伸張するデータ電極３２と、データ電極３２と電気的に絶縁されたプライミング電極３６とを備え、データ電極３２は、データ電極３２上のデータ電極３２よりも透明電極２２ａに近い位置に形成された補助データ電極３２ａと、データ電極３２と補助データ電極３２ａとを電気的に接続する接続部３２ｂとを有し、補助データ電極３２ａは少なくともその一部が透明電極２２ａと対向するように配置される。【選択図】図１
2005100736.tif 000002
【特許請求の範囲】
【請求項１】
第１の基板と、
前記第１の基板上にあって、互いに平行に配置された走査電極および維持電極と、
放電空間を挟んで前記第１の基板に対向配置される第２の基板と、
前記第２の基板上にあって、前記走査電極と交差する方向に配置されたデータ電極と、
前記第２の基板上にあって、前記データ電極を覆うように形成された誘電体層と、
前記第２の基板上にあって、前記誘電体層上に前記走査電極と平行に配置され、かつ前記データ電極と電気的に絶縁されたプライミング電極と、
前記第２の基板上にあって、前記データ電極よりも前記走査電極に近い位置に配置された補助データ電極とを備え、
前記補助データ電極は前記データ電極と電気的に接続されて形成されていることを特徴とするプラズマディスプレイパネル。
【請求項２】
前記補助データ電極は少なくともその一部が前記走査電極と対向するように配置されたことを特徴とする請求項１記載のプラズマディスプレイパネル。
【請求項３】
前記補助データ電極は前記走査電極と平行な方向の電極幅が前記データ電極の電極幅よりも広いことを特徴とする請求項１または請求項２に記載のプラズマディスプレイパネル。
【請求項４】
前記補助データ電極は前記誘電体層上に配置されたことを特徴とする請求項１から請求項３のいずれかに記載のプラズマディスプレイパネル。
【請求項５】
前記データ電極のうち前記走査電極と対抗する部分の厚みが他の部分の厚みより厚くなるように形成されて前記補助データ電極が形成されていることを特徴とする請求項１または請求項２に記載のプラズマディスプレイパネル。
【請求項６】
前記データ電極のうち前記走査電極と対抗する部分が他の部分より前記走査電極に近づくように前記データ電極が立体的に蛇行した形状に形成されて前記補助データ電極が形成されていることを特徴とする請求項１、請求項２または請求項４のいずれかに記載のプラズマディスプレイパネル。
【発明の詳細な説明】
【技術分野】
【０００１】
本発明はプラズマディスプレイパネル（以下、パネルとも記す）に関する。
【背景技術】
【０００２】
近年、急速に市場規模を拡大してきたプラズマディスプレイ装置は、大画面、薄型、軽量を特徴とする視認性に優れた表示デバイスである。また、ハイビジョン放送に代表される高精細映像に対応するため、プラズマディスプレイパネルの高精細化が進められている。プラズマディスプレイパネルの電極構造にはいくつかの種類があるが、現在は大画面化、高精細化に適したＡＣ型３電極プラズマディスプレイパネルが主流となっている。
【０００３】
ＡＣ型３電極プラズマディスプレイパネルは、一般に対向配置された前面板と背面板との間に多数の放電セルを形成している。前面板は、走査電極と維持電極とからなる表示電極が前面ガラス基板上に互いに平行に対をなして複数形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とを対向配置して密封し、内部の放電空間に放電ガスを封入している。また、ハイビジョンに対応した高精細なプラズマディスプレイパネルは通常７００本を超す走査電極を有する。
【０００４】
ＡＣ型プラズマディスプレイパネルを駆動する方法としては、１フィールド期間を複数のサブフィールドに分割し、発光させるサブフィールドの組合せによって階調表示を行う、いわゆるサブフィールド法が一般的である。各サブフィールドは初期化期間、書込み期間および維持期間を有する。
【０００５】
初期化期間では、プラズマディスプレイパネルを構成する全ての放電セルに初期化放電を起こし、続く書込み放電に必要な励起粒子（以下、プライミング粒子と記す）を発生させるための初期化パルスを印加する。続く書込み期間では、プラズマディスプレイパネルに備えられた走査電極およびデータ電極にそれぞれ走査パルスおよび書込みパルスを印加し、選択的な書込み放電を起こす。続く維持期間では走査電極と維持電極との間に所定の回数の維持パルスを印加して維持放電を起こし、放電セルを発光させる。
【０００６】
放電セルにおいて放電を起こす場合、放電電圧を印加してから放電を開始するまでに時間差（以下、放電遅れと略記する）がある。そのため、放電セルを安定して放電させるには、走査パルスおよび書込みパルスのパルス幅を少なくとも放電遅れより長くしなければならない。
【０００７】
一方、書込み期間では走査パルスを走査電極に順次印加していくので、走査電極の数によって走査パルスの印加回数が決まる。すなわち、プラズマディスプレイパネルの高精細化によって走査電極の数が増えると、増加した走査電極の数に依存して書込み期間が長くなる。書込み期間が長くなれば、初期化期間または維持期間を短縮してサブフィールドの期間が変わらないようにするか、初期化期間および維持期間は変えずにサブフィールドの期間を長くするかのいずれかによる時間調整が必要になる。
【０００８】
しかし、初期化期間を短縮するために初期化パルスを短くすると、放電セルの初期化が不確実となり、続く書込み放電で誤放電を起こしやすくなる。また維持期間を短縮するために維持パルスの印加回数を減らすと、維持放電の回数が減り輝度が低下する。また、サブフィールドの期間を長くするために１フィールドあたりのサブフィールドの数を減らすと階調性が低下する。
【０００９】
これらの課題を解決するために、前面板に補助放電電極（以下、プライミング電極と記す）を設け前面板側の面内補助放電によって生じた補助放電（以下、プライミング放電と記す）によって放電遅れを小さくするパネルとその駆動方法が提案されている（特許文献１参照）。
【特許文献１】特開２００２−２９７０９１号公報
【発明の開示】
【発明が解決しようとする課題】
【００１０】
しかしながら、上述のパネルにおいては、個々の補助放電セルが比較的大きいため、画像表示のための放電セル間の距離を縮めることができず、その結果、高精細化が困難であるという課題があった。
【００１１】
本発明はこのような課題に鑑みてなされたものであり、高精細化した場合でも書込み動作を高速で、安定して行うことができ、さらに、電極を駆動するときに消費される電力を削減することができるプラズマディスプレイパネルを提供することを目的とする。
【課題を解決するための手段】
【００１２】
本発明のプラズマディスプレイパネルは、第１の基板と、第１の基板上にあって、互いに平行に配置された走査電極および維持電極と、放電空間を挟んで第１の基板に対向配置される第２の基板と、第２の基板上にあって、走査電極と交差する方向に配置されたデータ電極と、第２の基板上にあって、データ電極を覆うように形成された誘電体層と、第２の基板上にあって、誘電体層上に走査電極と平行に配置され、かつデータ電極と電気的に絶縁されたプライミング電極と、第２の基板上にあって、データ電極よりも走査電極に近い位置に配置された補助データ電極とを備え、補助データ電極はデータ電極と電気的に接続されて形成されていることを特徴とする。
【００１３】
この構成によれば、第２の基板上にプライミング電極を配置することで、プラズマディスプレイパネルの高精細化と、書込み動作の高速、安定化を実現することができる。さらに、補助データ電極を備えることにより、プライミング電極を第２の基板上に設けたことによる書込み放電パルス電圧の上昇を抑えることができる。
【００１４】
また、補助データ電極は少なくともその一部が走査電極と対向するように配置される構成であってもよい。
【００１５】
このような構成によっても、プライミング電極を第２の基板上に設けたことによる書込み放電パルス電圧の上昇を抑えることができる。
【００１６】
また、補助データ電極の走査電極と平行な方向の電極幅をデータ電極の電極幅よりも広くする構成であってもよい。
【００１７】
このような構成によれば、補助データ電極と走査電極とが対向する面積を走査電極とデータ電極とが立体交差する面積よりも大きくすることができるので、書込み放電をより安定して発生させることができる。また、プライミング電極を第２の基板上に設けたことによる書込み放電パルス電圧の上昇を抑える効果を大きくすることができる。
【００１８】
また、補助データ電極を誘電体層上に配置する構成であってもよい。
【００１９】
このような構成によれば、プラズマディスプレイパネルの作成時にプライミング電極と補助データ電極とを同じ行程で配置することができる。
【００２０】
また、データ電極のうち走査電極と対抗する部分の厚みが他の部分の厚みより厚くなるようにデータ電極を形成して補助データ電極を形成する構成であってもよい。
【００２１】
このような構成によれば、プラズマディスプレイパネルの作成時におけるデータ電極のパタン変更だけでデータ電極と補助データ電極とを一体として形成することができる。
また、データ電極のうち走査電極と対抗する部分が他の部分より走査電極に近づくようにデータ電極を立体的に蛇行した形状に形成する構成であってもよい。
【００２２】
このような構成によっても、プラズマディスプレイパネルの作成時におけるデータ電極のパタン変更だけでデータ電極と補助データ電極とを一体として形成することができる。
【発明の効果】
【００２３】
本発明のプラズマディスプレイパネルによれば、高精細化した場合でも書込み放電を高速で、安定して行い、かつ書込みパルス電圧の上昇を抑えて消費電力を削減することができるプラズマディスプレイパネルを提供することができる。
【発明を実施するための最良の形態】
【００２４】
以下、本発明の実施の形態におけるプラズマディスプレイパネルについて、図面を用いて説明する。
【００２５】
（実施の形態）
図１は本発明の実施の形態におけるプラズマディスプレイパネルを示す断面図であり、図２は同パネルの背面基板側の構造を模式的に示す斜視図である。
【００２６】
図１に示すように、第１の基板であるガラス製の前面基板２１と第２の基板である背面基板３１とが放電空間を挟んで対向配置され、放電空間には放電によって紫外線を放射するネオンおよびキセノンの混合ガスが封入されている。
【００２７】
前面基板２１上には、走査電極２２と維持電極２３とが互いに平行に対をなして複数形成されている。このとき、維持電極２３−走査電極２２−走査電極２２−維持電極２３−・・・となるように２本ずつ交互に配列されている。走査電極２２と維持電極２３はそれぞれ透明電極２２ａ、２３ａと、透明電極２２ａ、２３ａ上に形成された金属母線２２ｂ、２３ｂとから構成されている。ここで、走査電極２２−走査電極２２間、および維持電極２３−維持電極２３間には黒色材料からなる光吸収層２８が設けられている。
【００２８】
走査電極２２のうち、一方の走査電極２２の金属母線２２ｂの突出部分２２ｂ’は光吸収層２８上にまで突出して形成されている。そして、これらの走査電極２２、維持電極２３および光吸収層２８とを覆うように誘電体層２４および保護層２５が形成されている。
【００２９】
背面基板３１上には、走査電極２２および維持電極２３と交差する方向に、データ電極３２が互いに平行に複数形成されている。
【００３０】
データ電極３２の前面基板２１と対向する側の電極面を覆うように誘電体層３３ａが形成され、誘電体層３３ａの上に、データ電極３２と交差する方向にプライミング電極３６と、補助データ電極３２ａとが複数形成されている。補助データ電極３２ａとデータ電極３２とは接続部３２ｂによって電気的に接続されており、導通している。
【００３１】
誘電体層３３ａは所定の厚みを有しており、データ電極３２とプライミング電極３６との間を絶縁している。プライミング電極３６および補助データ電極３２ａを覆うようにさらに誘電体層３３ｂ（以下、誘電体層３３ａおよび誘電体層３３ｂを誘電体層３３とも記す）が形成され、さらにその上に放電セル４０を区画するための隔壁３４が形成されている。隔壁３４は、図２に示すように、データ電極３２と平行な方向に延びる縦壁部３４ａと、放電セル４０を形成しかつ放電セル４０の間に隙間部４１を形成する横壁部３４ｂとで構成されている。隙間部４１は一つおきにプライミング電極３６を有し、プライミング電極３６を有した隙間部４１はプライミングセル４１ａとして形成される。そして、隔壁３４により区画された放電セル４０に対応する誘電体層３３の表面と隔壁３４の側面とに蛍光体層３５が設けられている。
【００３２】
前面基板２１と背面基板３１を対向配置して封着する際、前面基板２１上に形成された走査電極２２の金属母線２２ｂのうち光吸収層２８上に突出した突出部分２２ｂ’と、背面基板３１上に形成されたプライミング電極３６とが平行にかつプライミングセル４１ａを挟んで対向するように位置合わせする。また、前面基板２１上に形成された走査電極２２のうちの透明電極２２ａと、背面基板３１上に形成された補助データ電極３２ａのうちの少なくとも一部とが平行にかつ放電セル４０を挟んで対向するように位置合わせする。すなわち、図１、図２に示したプラズマディスプレイパネルは、前面基板２１側に形成された突出部分２２ｂ’と、背面基板３１側に形成されたプライミング電極３６との間でプライミング放電を行う構成となっている。また、前面基板２１側に形成された透明電極２２ａと、背面基板３１側に形成された補助データ電極３２ａとの間で書込み放電を行う構成となっている。
【００３３】
なお、図１、図２にはプライミング電極３６を覆うようにさらに誘電体層３３ｂが形成されているが、この誘電体層３３ｂは形成しなくてもよい。また、図１ではプライミングセル４１ａ側に蛍光体層３５を形成していないが、これは、放電を阻害する働きのある蛍光体層を設けないことでプライミング放電を発生しやすくするためである。また、図１では隙間部４１側に蛍光体層３５を形成していないが、隙間部４１側に蛍光体層３５を形成する構成としてもよい。また、図１、図２では補助データ電極３２ａおよびプライミング電極３６は同じ水平位置になるように誘電体層３３ａの上に形成されている。このように構成にすることで、プライミング電極３６と補助データ電極３２ａとを同じ行程で形成することができる。しかし、例えば補助データ電極３２ａをプライミング電極３６よりも放電セル４０に近い位置に形成するなど、補助データ電極３２ａとプライミング電極３６とを異なる水平位置に形成する構成であってもかまわない。
【００３４】
図３は本発明の実施の形態におけるプラズマディスプレイパネルの電極配列図である。列方向にｍ列のデータ電極Ｄ1〜Ｄm（図１のデータ電極３２）が配列され、行方向にｎ行の走査電極ＳＣ1〜ＳＣn（図１の走査電極２２）とｎ行の維持電極ＳＵ1〜ＳＵn（図１の維持電極２３）とが維持電極ＳＵ1−走査電極ＳＣ1−走査電極ＳＣ2−維持電極ＳＵ2−・・・となるように２本ずつ交互に配列されている。そして、本発明の実施の形態においては奇数行目の走査電極ＳＣ1、ＳＣ3、・・・の突出部分（図１の突出部分２２ｂ’）と対向するようにｎ／２本のプライミング電極ＰＲ1、ＰＲ3、・・・（図１のプライミング電極３６）が配列されている。また、データ電極Ｄj（ｊ＝１〜ｍ）と走査電極ＳＣi（ｉ＝１〜ｎ）との交差部において、走査電極ＳＣiと対向するように補助データ電極３２ａが配置され接続部３２ｂによってデータ電極Ｄjに接続されている（図示せず）。このとき補助データ電極３２ａの総数はｍ×ｎ個になる。
【００３５】
そして、一対の走査電極ＳＣi、維持電極ＳＵiと一つのデータ電極Ｄjとを含む放電セルＣi,j（図１の放電セル４０）が放電空間内に形成され、放電セルＣの総数はｍ×ｎ個になる。また１〜ｎ行のうちの奇数行に走査電極ＳＣiの突出部分とプライミング電極ＰＲiとを含むプライミングセルＰＳi（図１のプライミングセル４１ａ）が形成され、プライミングセルＰＳの総数はｎ／２になる。
【００３６】
このように、本発明の実施の形態におけるプラズマディスプレイパネルにおいては、奇数行目の走査電極ＳＣp（ｐ＝奇数）は突出部分２２ｂ’を持ち、自己の走査に伴ってプライミング放電を発生させるとともに書込みを行う。一方、偶数行目の走査電極ＳＣp+1は突出部分２２ｂ’がなく、自己の走査に伴うプライミング放電を発生させずに書込みを行う。
【００３７】
次に、パネルを駆動するための駆動波形とそのタイミングについて説明する。
【００３８】
図４は、本発明の実施の形態におけるプラズマディスプレイパネルの駆動波形図である。なお、本発明の実施の形態においては、１フィールド期間が初期化期間、書込み期間、維持期間を有する複数のサブフィールドから構成されており、それぞれのサブフィールドは維持期間における維持パルスの数が異なる以外は同様の動作を行うので、一つのサブフィールドについてのみ動作を説明する。
【００３９】
初期化期間前半部では、データ電極Ｄ1〜Ｄm、維持電極ＳＵ1〜ＳＵnおよびプライミング電極ＰＲ1〜ＰＲn-1をそれぞれ０（Ｖ）に保持し、走査電極ＳＣ1〜ＳＣnには、維持電極ＳＵ1〜ＳＵnに対して放電開始電圧以下の電圧Ｖi1から、放電開始電圧を超える電圧Ｖi2に向かって緩やかに上昇する傾斜波形電圧を印加する。この傾斜波形電圧が上昇する間に、走査電極ＳＣ1〜ＳＣnと維持電極ＳＵ1〜ＳＵn、データ電極Ｄ1〜Ｄmに接続された補助データ電極３２ａ、プライミング電極ＰＲ1〜ＰＲn-1との間でそれぞれ一回目の微弱な初期化放電が起こる。そして、走査電極ＳＣ1〜ＳＣn上部に負の壁電圧が蓄積されるとともに、データ電極Ｄ1〜Ｄmに接続された補助データ電極３２ａ上部、維持電極ＳＵ1〜ＳＵn上部およびプライミング電極ＰＲ1〜ＰＲn-1上部には正の壁電圧が蓄積される。ここで、電極上部の壁電圧とは電極を覆う誘電体層上に蓄積された壁電荷により生じる電圧をあらわす。
【００４０】
初期化期間後半部では、維持電極ＳＵ1〜ＳＵnを正電圧Ｖｅに保ち、走査電極ＳＣ1〜ＳＣnには、維持電極ＳＵ1〜ＳＵnに対して放電開始電圧以下となる電圧Ｖi3から放電開始電圧を超える電圧Ｖi4に向かって緩やかに下降する傾斜波形電圧を印加する。この間に、走査電極ＳＣ1〜ＳＣnと維持電極ＳＵ1〜ＳＵn、データ電極Ｄ1〜Ｄmに接続された補助データ電極３２ａ、プライミング電極ＰＲ1〜ＰＲn-1との間でそれぞれ二回目の微弱な初期化放電が起こる。そして、走査電極ＳＣ1〜ＳＣn上部の負の壁電圧および維持電極ＳＵ1〜ＳＵn上部の正の壁電圧が弱められ、データ電極Ｄ1〜Ｄmに接続された補助データ電極３２ａ上部の正の壁電圧は書込み動作に適した値に調整され、プライミング電極ＰＲ1〜ＰＲn-1上部の正の壁電圧もプライミング動作に適した値に調整される。以上により初期化動作が終了する。
【００４１】
書込み期間では、走査電極ＳＣ1〜ＳＣnを一旦電圧Ｖｃに保持する。そして、プライミング電極ＰＲ1〜ＰＲn-1に電圧変化分（Ｖｃ−Ｖi4）とほぼ等しい電圧Ｖｑを印加する。
【００４２】
まず、奇数行目の放電セルＣp,1〜Ｃp,mの書込み動作では、走査電極ＳＣpに走査パルス電圧Ｖａを印加するとともに、表示すべき画像信号に対応するデータ電極Ｄk（ｋは１〜ｍの整数）に正の書込みパルスＶｄを印加する。奇数行目の走査電極ＳＣpは自己の走査に伴ってプライミング放電を発生させるとともに書込みを行う走査電極である。したがって、この走査パルス電圧Ｖａの印加により、プライミングセルＰＳpにおいてプライミング電極ＰＲpと走査電極ＳＣpとの間でプライミング放電が発生し、放電セルＣp,1〜Ｃp,mと放電セルＣp+1,1〜ＣP+1,mとの内部にプライミングが供給される。このときの放電は、上述したようにプライミングセルが放電しやすい構造であるため、放電遅れが小さく速い安定したプライミング放電となる。
【００４３】
その後引き続いて書込みパルス電圧を印加したデータ電極Ｄkに対応する放電セルＣp,kで書込み放電が発生する。このとき、放電セルＣp,kの放電は走査電極ＳＣpとプライミング電極ＰＲpとの間で発生したプライミング放電からプライミングが供給されつつ発生するので、プライミングセルからプライミングの供給が始まるまでの時間遅れはあるものの、プライミング供給後は放電遅れが小さく安定した放電となる。
【００４４】
この書込み放電により放電セルＣp,kの走査電極ＳＣp上部に正電圧が蓄積され、維持電極ＳＵp上部に負電圧が蓄積されて、奇数行目の書込み動作が終了する。
【００４５】
次に、偶数行目の放電セルＣp+1,1〜ＣP+1,mの書込み動作では、ｐ＋１行目の走査電極ＳＣP+1に走査パルス電圧Ｖａを印加すると同時に、データ電極Ｄ1〜Ｄmのうちｐ＋１行目に表示すべき画像信号に対応するデータ電極Ｄkに正の書込みパルス電圧Ｖｄを印加する。これにより、データ電極Ｄkと走査電極ＳＣP+1との交差部で放電が発生する。このとき、放電セルＣP+1,kでは走査電極ＳＣpとプライミング電極ＰＲpとの間で発生したプライミング放電から十分なプライミングがすでに供給された状態で放電が発生するので、書込み放電の放電遅れは非常に小さく安定した放電となる。
【００４６】
この書込み放電により放電セルＣp+1,kの走査電極ＳＣp上部に正電圧が蓄積され、維持電極ＳＵp上部に負電圧が蓄積されて、偶数行目の書込み動作が終了する。
【００４７】
以下、同様の書込み動作をｎ行目の放電セルＣn,kに至るまで行い、書込み動作が終了する。
【００４８】
維持期間では、走査電極ＳＣ1〜ＳＣnおよび維持電極ＳＵ1〜ＳＵnを０（Ｖ）に一旦戻した後、走査電極ＳＣ1〜ＳＣnに正の維持パルス電圧Ｖｓを印加する。このとき、書込み放電を起こした放電セルＣi,jにおける走査電極ＳＣi上部と維持電極ＳＵi上部との間の電圧は、正の維持パルス電圧Ｖｓに加えて、書込み期間において走査電極ＳＣi上部および維持電極ＳＵi上部に蓄積された壁電圧が加算されて、放電開始電圧より大きくなる。これにより、放電セルＣi,jにおいて維持放電が発生する。以降同様に、走査電極ＳＣ1〜ＳＣnと維持電極ＳＵ1〜ＳＵnとに維持パルスを交互に印加することにより、書込み放電を起こした放電セルＣi,kに対して維持パルスの回数だけ維持放電が継続して行われる。
【００４９】
このように、本発明の実施の形態では、奇数行目の放電セルＣp,1〜Ｃp,mの書込み動作において、背面基板（図１の背面基板３１）側に設けたプライミング電極ＰＲpと前面基板（図１の前面基板２１）側に設けた走査電極ＳＣpとの間でプライミング放電を発生させ、放電セルＣp,1〜Ｃp,mと放電セルＣp+1,1〜Ｃp+1,mとの内部にプライミングを供給することで、放電遅れが小さく、高速かつ安定した書込み放電を実現することができる。
【００５０】
次に、補助データ電極３２ａについて説明する。
【００５１】
図５は本発明の実施の形態におけるデータ電極３２、補助データ電極３２ａ、接続部３２ｂ、透明電極２２ａおよびプライミング電極３６の構成を模式的に示す斜視図である。なお、図５では位置関係および形状をわかりやすく示すために、上述以外の構成要素を省略している。図５に示すように、データ電極３２は透明電極２２ａと交差する方向に伸張して形成されている。補助データ電極３２ａはデータ電極３２上のデータ電極３２よりも透明電極２２ａに近い位置に、透明電極２２ａと対向（図５の斜線部分）するように形成されている。また、データ電極３２と補助データ電極３２ａとが導通するように接続部３２ｂによって電気的に接続されているため、データ電極３２に印加される電圧は接続部３２ｂを介して補助データ電極３２ａにも同様に印加される。
【００５２】
プライミング電極３６は、データ電極３２との間に誘電体層３３（図示せず）を挟み、データ電極３２と交差する方向に形成されている。誘電体層３３は所定の厚みＷtを有しており、データ電極３２とプライミング電極３６との間を絶縁している。このとき、誘電体層３３に十分な厚みがなく、そのためにプライミング電極３６とデータ電極３２とが電気的に導通すれば、プライミング放電を発生させるためにプライミング電極３６に印加した電圧がデータ電極３２に漏れるなどの不具合が起きて、プライミング放電が安定して発生しなくなる恐れがある。したがって、プライミング放電を安定して発生させるためには、誘電体層３３の厚みＷtはプライミング電極３６とデータ電極３２との間を十分に絶縁するだけの厚みでなければならない。本発明の実施の形態では、本願発明者が行った実験結果より、絶縁に必要な誘電体層３３ａの厚みＷtを３０μｍとしている。
【００５３】
したがって、データ電極３２の上に形成される誘電体層３３は少なくともＷtの厚みを有しており、データ電極３２は少なくとも透明電極２２ａから放電セル４０（図示せず）を介してさらにＷt離れた位置に形成されることになる。
【００５４】
一方、放電開始電圧は放電を行う電極間の間隔に依存して変化し、電極が離れるほど放電開始電圧は高くなる。すなわち、データ電極３２と透明電極２２ａとの間隔が離れると、書込み放電の放電開始電圧が高くなり、データ電極３２に印加する書込みパルス電圧を高くしなければならなくなる。書込みパルス電圧を高くすると、その分消費電力が増えるだけでなく、書込みパルス電圧をデータ電極３２に印加するときの駆動回路の発熱量が増えて放熱などの対策が必要になる、あるいは駆動回路の最大定格を上げなければならないなどの設計上の問題も発生する。このような問題を避けるためにも、書込みパルス電圧の上昇を抑えることが望ましい。
【００５５】
書込みパルス電圧の上昇を抑えるためには、透明電極２２ａとデータ電極３２との間隔を近づけて書込み放電の放電開始電圧を下げてやればよい。透明電極２２ａとデータ電極３２との間隔を近づけるためには、１）透明電極２２ａを覆う誘電体層２４（図示せず）および保護層２５（図示せず）の厚みを薄くして透明電極２２ａをデータ電極３２に近づける、２）放電セル４０の大きさを縮小して透明電極２２ａとデータ電極３２とを互いに近づける、３）データ電極３２を覆う誘電体層３３の厚みを薄くしてデータ電極３２を透明電極２２ａに近づける、といった方法が考えられる。
【００５６】
しかし、３）の方法については、データ電極３２を覆う誘電体層３３の厚みを薄くすると、プライミング電極３６とデータ電極３２との間を絶縁できなくなり、上述した不具合が発生する恐れがある。
【００５７】
一方、書込み放電の放電開始電圧を下げるためには、データ電極３２のうち透明電極２２ａと対向し透明電極２２ａとの間で書込み放電を行う電極面（図中の斜線部分）が透明電極２２ａに近づいていればよく、データ電極３２全体を透明電極２２ａに近づける必要はない。
【００５８】
すなわち、本発明の実施の形態では、データ電極３２よりも透明電極２２ａに近い位置に透明電極２２ａと対向するように補助データ電極３２ａを設け、接続部３２ｂによってデータ電極３２と補助データ電極３２ａとを電気的に接続した構成とする。このように構成することで、プライミング電極３６とデータ電極３２との間の誘電体層３３を所定の厚みＷtに維持したままで、書込み放電を行う電極面同士を近づけることができる。データ電極３２に印加される書込みパルス電圧は、データ電極３２から接続部３２ｂを介して補助データ電極３２ａにも等しく印加され、透明電極２２ａと補助データ電極３２ａとの間で書込み放電が発生する。放電開始電圧は補助データ電極３２ａがデータ電極３２から透明電極２２ａに近づいた分だけ低くなり、その分書込みパルス電圧を低くすることができる。本願発明者が行った実験では、補助データ電極３２ａをデータ電極３２から透明電極２２ａに３０μｍ近づけることで、書込み放電の発生に必要な書込みパルス電圧を５Ｖ下げることができた。
【００５９】
なお、接続部３２ｂはデータ電極３２と補助データ電極３２ａとを電気的に接続して同電位に維持するものであればよく、接続位置および大きさを限定するものではない。図６は本発明の実施の形態におけるデータ電極３２の構成例を模式的に示す斜視図である。例えば、図６（ａ）の接続部３２ｂ1のように補助データ電極３２ａの中央付近に形成してもよく、図６（ｂ）の接続部３２ｂ2のように透明電極２２ａと交差する方向に形成してもよい。あるいは図６（ｃ）の接続部３２ｂ3に示すように接続部３２ｂ3の透明電極２２ａと垂直方向の幅が透明電極２２ａの電極幅よりも小さく、接続部３２ｂ3のデータ電極３２と垂直方向の幅がデータ電極３２の電極幅よりも小さい構成としてもよい。データ電極３２と補助データ電極３２ａとを同電位に維持することができるのであれば、図６（ｄ）の接続部３２ｂ4に示すようにワイヤーのように非常に細い形状のものであってもよい。また図には示していないが、接続部３２ｂの断面の形状は円形や楕円形などの四角形以外の形状であってもよい。あるいは図６（ｅ）の接続部３２ｂ5に示すように、補助データ電極３２ａと同じ大きさに形成する構成でもよい。この構成では、データ電極３２の透明電極２２ａと対向する部分の厚みを厚く形成することで補助データ電極３２ａを形成することができるので、製造を容易にすることができる。あるいは図６（ｆ）に示すように、補助データ電極３２ａの両端に接続部３２ｂ6を形成するような構成としてもよい。この構成では、データ電極３２の透明電極２２ａと対向する部分が透明電極２２ａに近づくようにデータ電極３２を立体的に蛇行するような形状に形成することで補助データ電極３２ａを形成することができるので、製造を容易にすることができる。
【００６０】
また、補助データ電極３２ａは、補助データ電極３２ａと透明電極２２ａとが対向する面積が書込み放電を発生するに十分な大きさであり、かつ書込み放電を発生させるための電極面が透明電極２２ａの方向に突出するような構成であればよい。図７は本発明の実施の形態におけるデータ電極３２の別の構成例を模式的に示す斜視図である。例えば、図７（ａ）の補助データ電極３２ａ1に示すように透明電極２２ａと垂直方向の幅を透明電極２２ａの電極幅とほぼ同じにし、データ電極３２と垂直方向の幅をデータ電極３２の電極幅とほぼ同じにしてもよい。あるいは図７（ｂ）の補助データ電極３２ａ2に示すようにデータ電極３２と垂直方向の幅をデータ電極３２の電極幅より大きくしてもよい。こうすることで、補助データ電極３２ａと透明電極２２ａとが対向する面積を、データ電極３２と透明電極２２ａとが立体交差する面積よりも大きくすることができ、書込み放電をより安定して発生させることができるからである。
【００６１】
なお、上述の誘電体層３３の幅Ｗtはプラズマディスプレイパネルのサイズやデザインによって最適な値が異なるので、プラズマディスプレイパネルの機種に応じて最適化することが望ましい。
【００６２】
以上説明したように、本発明のプラズマディスプレイパネルは、背面基板側にプライミング電極を設けることで、プラズマディスプレイパネルを高精細化した場合でも放電遅れが小さく、高速かつ安定した書込み放電を実現することができる。加えて、データ電極と電気的に接続された補助データ電極を設けることで、書込み放電パルス電圧の上昇を抑制し、電極を駆動するときに消費される電力を削減することができる。
【産業上の利用可能性】
【００６３】
本発明に係るプラズマディスプレイパネルは、高精細化した場合でも書込み放電を高速で、安定して行い、かつ書込みパルス電圧の上昇を抑えて消費電力を削減することができるので、プラズマディスプレイパネルなどに有用である。
【図面の簡単な説明】
【００６４】
【図１】本発明の実施の形態におけるプラズマディスプレイパネルを示す断面図
【図２】本発明の実施の形態におけるプラズマディスプレイパネルの背面基板側の構造を模式的に示す斜視図
【図３】本発明の実施の形態におけるプラズマディスプレイパネルの電極配列図
【図４】本発明の実施の形態におけるプラズマディスプレイパネルの駆動波形図
【図５】本発明の実施の形態におけるデータ電極、補助データ電極、接続部、透明電極およびプライミング電極の構成を模式的に示す斜視図
【図６】（ａ）、（ｂ）、（ｃ）、（ｄ）、（ｅ）、（ｆ）は本発明の実施の形態におけるデータ電極の構成例を模式的に示す斜視図
【図７】（ａ）、（ｂ）は本発明の実施の形態におけるデータ電極の別の構成例を模式的に示す斜視図
【符号の説明】
【００６５】
２１    （ガラス製の）前面基板
２２    走査電極
２２ａ，２３ａ    透明電極
２２ｂ，２３ｂ    金属母線
２２ｂ’    突出部分
２３    維持電極
２４，３３，３３ａ，３３ｂ    誘電体層
２５    保護層
２８    光吸収層
３１    （ガラス製の）背面基板
３２    データ電極
３２ａ，３２ａ1，３２ａ2    補助データ電極
３２ｂ，３２ｂ1，３２ｂ2，３２ｂ3，３２ｂ4，３２ｂ5，３２ｂ6    接続部
３４    隔壁
３４ａ    縦壁部
３４ｂ    横壁部
３５    蛍光体層
３６    プライミング電極
４０    放電セル
４１    隙間部
４１ａ    プライミングセル
【図１】
2005100736.tif 000003
【図２】
2005100736.tif 000004
【図３】
2005100736.tif 000005
【図４】
2005100736.tif 000006
【図５】
2005100736.tif 000007
【図６】
2005100736.tif 000008
【図７】
2005100736.tif 000009